(57)【要約】【課題】簡単な操作で、リッチコンテンツをメールとして配信可能なメール変換装置を提供すること。【解決手段】メール変換サーバ（メール変換装置）２は、メール作成装置１から受信したメールの表題を解析し、記憶手段２４に予め記憶されてあるテンプレートを検索するテンプレート検索手段２３と、検索したテンプレートとメール本文とを組み合わせることにより変換されたメールを生成する変換メール生成手段２５と、により構成される。【選択図】図２
2008041081.tif 000002
【特許請求の範囲】
【請求項１】
メール本文がテキストデータで記述されたメールを、前記メール本文に装飾を付加して表示可能なメールに変換するメール変換装置であって、
メールの表題に含まれる予め定めた文字に対応付けて、前記メールに対して付加する装飾化データをテンプレートとして記憶する記憶手段と、
メール送信装置から受信したメールの表題を解析し、前記記憶手段に記憶されているテンプレートを検索するテンプレート検索手段と、
このテンプレート検索手段で検索されたテンプレートと前記メールとを組み合わせることにより変換されたメールを生成する変換メール生成手段と、
を備えたことを特徴とするメール変換装置。
【請求項２】
前記記憶手段に、前記テンプレートとしてリッチコンテンツが記憶されていることを特徴とする請求項１に記載のメール変換装置。
【請求項３】
前記テンプレート検索手段は、前記表題に記述された絵文字をキーワードとして、前記記憶手段から該当するリッチコンテンツを検索することを特徴とする請求項２に記載のメール変換装置。
【請求項４】
前記変換メール生成手段は、
前記メールの本文と、前記リッチコンテンツのテンプレートとを合成することで、メール本文の内容を含んだリッチコンテンツメールを生成するリッチコンテンツメール生成手段と、
前記リッチコンテンツメールの内容を参照するためのテキストデータを前記メール本文に付加したテキストメールを生成するテキストメール生成手段と、を備え、
前記変換メール生成手段が、前記リッチコンテンツメールと前記テキストメールとをマルチパート配信用のメールとして生成することを特徴とする請求項２または請求項３に記載のメール変換装置。
【請求項５】
前記変換メール生成手段は、
前記メールに添付ファイル情報が含まれている場合、前記添付ファイル情報と、前記リッチコンテンツのテンプレートとを合成することで、添付ファイル情報を含んだリッチコンテンツメールを生成するリッチコンテンツメール生成手段と、
前記リッチコンテンツメールの内容を参照するためのテキストデータを前記メールに付加したテキストメールを生成するテキストメール生成手段と、を備え、
前記変換メール生成手段が、前記リッチコンテンツメールと前記テキストメールとをマルチパート配信用のメールとして生成することを特徴とする請求項２または請求項３に記載のメール変換装置。
【請求項６】
前記変換メール生成手段は、
前記検索したテンプレートが添付ファイルを必要とする場合、前記メールに添付された添付ファイル情報と、前記リッチコンテンツのテンプレートとを合成し、前記添付ファイル情報を含むリッチコンテンツメールを生成するリッチコンテンツメール生成手段と、
前記リッチコンテンツメールの内容を参照するためのテキストデータを前記メールに付加したテキストメールを生成するテキストメール生成手段と、を備え、
前記変換メール生成手段が、前記リッチコンテンツメールと前記テキストメールとをマルチパート配信用のメールとして生成することを特徴とする請求項２または請求項３に記載のメール変換装置。
【請求項７】
前記変換メール生成手段は、
前記メールに添付ファイル情報が含まれている場合、前記添付ファイル情報と、前記リッチコンテンツのテンプレートとを合成することで、前記添付ファイル情報を含むリッチコンテンツメールを生成するリッチコンテンツメール生成手段を備えたことを特徴とする請求項２または請求項３に記載のメール変換装置。
【請求項８】
前記変換メール生成手段は、
前記検索したテンプレートが添付ファイルを必要とする場合、前記メールに添付された添付ファイル情報と、前記リッチコンテンツのテンプレートとを合成し、前記添付ファイル情報を含むリッチコンテンツメールを生成するリッチコンテンツメール生成手段を備えたことを特徴とする請求項２または請求項３に記載のメール変換装置。
【請求項９】
メール作成装置とメール受信装置とにネットワークを介して接続されたメール変換装置において、メール本文がテキストデータで記述されたメールを、前記メール本文に装飾を付加して表示可能なメールに変換するために、コンピュータを、
前記メール作成装置により送信されるメールの表題に含まれる予め定めたキーワードに基づいて、記憶手段に予め記憶されているリッチコンテンツのテンプレートを検索するテンプレート検索手段、
このテンプレート検索手段で検索されたテンプレートと、前記メールとを組み合わせることで、前記リッチコンテンツを含んだ変換メールを生成する変換メール生成手段、
として機能させることを特徴とするメール変換プログラム。
【請求項１０】
メール作成装置と、
メール受信装置と、
前記メール作成装置とメール受信装置とにネットワークを介して接続され、前記メール作成装置から送信されるメールを受信して表題を解析し、記憶手段に予め記憶されているリッチコンテンツを検索し、前記検索されたリッチコンテンツと、メールとを組み合わせて変換されたリッチコンテンツを含むメールを生成し、前記メール受信装置に配信するメール変換装置と、
を備えたことを特徴とするメール配信システム。
【発明の詳細な説明】
【技術分野】
【０００１】
本発明は、特に、携帯電話端末を用いてリッチコンテンツをメール配信する際に好適な、メール変換装置、メール変換プログラムおよびメール配信システムに関する。
【背景技術】
【０００２】
現在、パーソナルコンピュータ（ＰＣ：Ｐｅｒｓｏｎａｌ  Ｃｏｍｐｕｔｅｒ）、携帯電話等の携帯端末における電子メールのやりとりは、メール本文をテキストデータとして送受信する方式が一般的である（例えば、特許文献１参照）。
一方、技術の発展により、ＨＴＭＬ（Ｈｙｐｅｒｌｉｎｋ  Ｔｅｘｔ  Ｍａｒｋｕｐ  Ｌａｎｇｕａｇｅ）メール、ウェブ（Ｗｅｂ）ページ等により、メールの内容をより表現力豊かに提示可能なリッチコンテンツの送受信が可能になっている。
【特許文献１】特開２００６−１８６９８号公報（段落「０００８」〜「００１１」、図１）
【発明の開示】
【発明が解決しようとする課題】
【０００３】
しかし、テキストや携帯電話における絵文字と比較してリッチコンテンツはその情報量が多く、そのため、メールの作成および設定が非常に煩雑であり、利用するためには困難が伴う。
また、携帯電話端末には、パソコンにおけるマウスやキーボードに相当する入力用デバイスが装備されていないため、リッチコンテンツを作成するには操作性に難がある。また、携帯電話端末では、リッチコンテンツを作成する際に、文字入力を行うために幾度もキーを押す必要があり、自由な操作性が確保されているとはいい難い。その結果、ＨＴＭＬメール等、リッチコンテンツを含むメールを作成し送信するには煩雑な操作が必要になり、利用頻度も少ないのが現状である。
【０００４】
本発明は、このような問題を解決するためになされたもので、その目的は、簡単な操作で、リッチコンテンツを含むメールを配信することを可能にするメール変換装置、メール変換プログラムおよびメール配信システムを提供することにある。
【課題を解決するための手段】
【０００５】
前記した課題を解決するために本発明のメール変換装置は、メールがテキストデータ（絵文字を含む）で記述されたメールを、前記メールに装飾を付加して表示可能なメールに変換するメール変換装置であって、メールの表題に含まれる予め定めた文字に対応付けて、前記メールに対して付加する装飾化データをテンプレートとして記憶する記憶手段と、メール送信装置から受信したメールの表題を解析し、前記記憶手段に記憶されているテンプレートを検索するテンプレート検索手段と、このテンプレート検索手段で検索されたテンプレートと前記メールとを組み合わせることにより変換されたメールを生成する変換メール生成手段と、を備える構成とした。
【０００６】
かかる構成によれば、メール変換装置は、テンプレート検索手段によって、メールの表題に含まれる文字から、記憶手段に予め記憶されているテンプレートを検索することができる。これによって、メール作成時に単純なキー操作によって入力ができる文字によって、テンプレートを指定することができる。なお、この文字は、一文字であっても構わないし、複数の文字からなる文字列であっても構わない。
そして、メール変換装置は、変換メール生成手段によって、テンプレートとメールとを組み合わせることで、メールを装飾化することが可能になる。
【０００７】
また、本発明のメール変換装置は、前記記憶手段に、前記テンプレートとしてリッチコンテンツが記憶されていることを特徴とする。
【０００８】
かかる構成によれば、メール変換装置は、メールとリッチコンテンツとを組み合わせることで、メールに対して画像を付加したり、メールを、動きを伴った表現形式で表したりすることが可能な変換メールを生成することができる。
このリッチコンテンツは、例えば、ＨＴＭＬ、Ｆｌａｓｈ（登録商標）、ＧＩＦ（Ｇｒａｐｈｉｃ  Ｉｎｔｅｒｃｈａｎｇｅ  Ｆｏｒｍａｔ）等の言語で記述したデータであって、メール本文を組み込むためのデータである。これによって、リッチコンテンツのデータをメール本文の文字列に置き換えることで、メールに対して、リッチコンテンツで表現可能な装飾を施すことができる。
【０００９】
また、本発明のメール変換装置は、前記テンプレート検索手段が、前記表題に記述された絵文字をキーワードとして、前記記憶手段から該当するリッチコンテンツを検索することを特徴とする。
【００１０】
かかる構成によれば、メール変換装置は、ユーザがテンプレートの内容を想起しやすい絵文字とテンプレートとを対応付けておくことで、ユーザの操作性を高めることができる。例えば、画面上にハートの画像が複数表示される場合は、そのテンプレートにハートの絵文字を対応付けておく。
【００１１】
また、本発明のメール変換装置は、前記変換メール生成手段が、前記メールの本文と、前記リッチコンテンツのテンプレートとを合成することで、メールの本文の内容を含んだリッチコンテンツメールを生成するリッチコンテンツメール生成手段と、前記リッチコンテンツメールの内容を参照するためのテキストデータを前記メール本文に付加したテキストメールを生成するテキストメール生成手段と、を備え、前記変換メール生成手段が、前記リッチコンテンツメールと前記テキストメールとをマルチパート配信用のメールとして生成することを特徴とする。
【００１２】
かかる構成によれば、メール変換装置は、リッチコンテンツで生成されたメール（リッチコンテンツメール）と、リッチコンテンツメールの内容の参照先（例えば、ＵＲＬ）を付加したテキストメールとを併せたメールを生成する。これによって、メールの受信側で、メールの提示環境、設定等によっていずれか一方のメールを表示することが可能になる。
【００１３】
また、本発明のメール変換装置は、前記変換メール生成手段が、前記メールに添付ファイル情報が含まれている場合、前記添付ファイル情報と、前記リッチコンテンツのテンプレートとを合成することで、添付ファイル情報を含んだリッチコンテンツメールを生成するリッチコンテンツメール生成手段と、前記リッチコンテンツメールの内容を参照するためのテキストデータを前記メールに付加したテキストメールを生成するテキストメール生成手段と、を備え、前記変換メール生成手段が、前記リッチコンテンツメールと前記テキストメールとをマルチパート配信用のメールとして生成することを特徴とする。
【００１４】
かかる構成によれば、メール変換装置は、添付ファイル情報が含まれるリッチコンテンツで生成されたメール（リッチコンテンツメール）と、リッチコンテンツメールの内容の参照先（例えば、ＵＲＬ）を付加したテキストメールとを併せたメールを生成する。これによって、メールの受信側で、メールの提示環境、設定等によっていずれか一方のメールを表示することが可能になる。
【００１５】
また、本発明のメール変換装置は、前記変換メール生成手段が、前記検索したテンプレートが添付ファイルを必要とする場合、前記メールに添付された添付ファイル情報と、前記リッチコンテンツのテンプレートとを合成し、前記添付ファイル情報を含むリッチコンテンツメールを生成するリッチコンテンツメール生成手段と、前記リッチコンテンツメールの内容を参照するためのテキストデータを前記メールに付加したテキストメールを生成するテキストメール生成手段と、を備え、前記変換メール生成手段が、前記リッチコンテンツメールと前記テキストメールとをマルチパート配信用のメールとして生成することを特徴とする。
【００１６】
かかる構成によれば、メール変換装置は、検索したテンプレートが添付ファイルを必要とする場合、添付ファイル情報と、リッチコンテンツのテンプレートを合成し、添付ファイル情報を含むリッチコンテンツで生成されたメール（リッチコンテンツメール）と、リッチコンテンツメールの内容の参照先（例えば、ＵＲＬ）を付加したテキストメールとを併せたメールを生成する。これによって、メールの受信側で、メールの提示環境、設定等によっていずれか一方のメールを表示することが可能になる。
【００１７】
また、本発明のメール変換装置は、前記変換メール生成手段が、前記メールに添付ファイル情報が含まれている場合、前記添付ファイル情報と、前記リッチコンテンツのテンプレートとを合成することで、前記添付ファイル情報を含むリッチコンテンツメールを生成するリッチコンテンツメール生成手段を備えたことを特徴とする。
【００１８】
かかる構成によれば、リッチコンテンツメール生成手段は、メールに添付ファイル情報が含まれている場合、添付ファイル情報と、リッチコンテンツのテンプレートとを合成して添付ファイル情報を含むリッチコンテンツメールを生成する。これによって、マルチパート配信に依存することなく、テキストメールのみの配信、あるいはリッチコンテンツメールのみの配信が可能になる。
【００１９】
また、本発明のメール変換装置は、前記変換メール生成手段が、検索したテンプレートが添付ファイルを必要とする場合、メールに添付された添付ファイル情報と、前記リッチコンテンツのテンプレートとを合成し、前記添付ファイル情報を含むリッチコンテンツメールを生成するリッチコンテンツメール生成手段を備えたことを特徴とする。
【００２０】
かかる構成によれば、リッチコンテンツメール生成手段は、検索したテンプレートが添付ファイルを必要とする場合、メールに添付された添付ファイル情報と、リッチコンテンツのテンプレートとを合成して添付ファイル情報を含むリッチコンテンツメールを生成する。これによって、マルチパート配信に依存することなく、テキストメールのみの配信、あるいはリッチコンテンツメールのみの配信が可能になる。
【００２１】
また、本発明のメール変換プログラムは、メール作成装置とメール受信装置とにネットワークを介して接続されたメール変換装置において、メール本文がテキストデータ（絵文字を含む）で記述されたメールを、前記メール本文に装飾を付加して表示可能なメールに変換するために、コンピュータを、前記メール作成装置により送信されるメールの表題に含まれる予め定めたキーワードに基づいて、記憶手段に予め記憶されているリッチコンテンツのテンプレートを検索するテンプレート検索手段、このテンプレート検索手段で検索されたテンプレートと、前記メールの本文とを組み合わせることで、前記リッチコンテンツを含んだ変換メールを生成する変換メール生成手段、として機能させるメール変換プログラムとして構成することを特徴とする。
【００２２】
かかる構成によれば、メール変換プログラムは、テンプレート検索手段によって、メールの表題に含まれる文字から、記憶手段に予め記憶されているテンプレートを検索することができる。これによって、メール作成時に単純なキー操作によって入力ができる文字によって、テンプレートを指定することができる。
そして、メール変換プログラムは、変換メール生成手段によって、テンプレートとテキストデータであるメール本文とを組み合わせることで、メール本文を装飾化することが可能になる。
【００２３】
また、本発明のメール配信システムは、メール作成装置と、メール受信装置と、前記メール作成装置とメール受信装置とにネットワークを介して接続され、前記メール作成装置から送信されるメールを受信して表題を解析し、記憶手段に予め記憶されているリッチコンテンツを検索し、前記検索されたリッチコンテンツと、メール本文とを組み合わせて変換されたリッチコンテンツを含むメールを生成し、前記メール受信装置に配信するメール変換装置と、を備える構成とした。
【００２４】
かかる構成によれば、メール配信システムは、メール作成装置によって生成されたメールがメール変換装置に送信される。この段階においては、メールはテキストベースのメールである。そして、メール配信システムは、メール変換装置において、そのメールの表題に含まれる文字（絵文字等）に予め対応付けて記憶されているリッチコンテンツをメール本文と組み合わせることで変換したメールを生成する。これによって、変換されたメールには、メール本文に対して画像を付加する等の装飾が可能になる。これによって、メール作成装置からテキストベースで作成されたメールが、リッチコンテンツを含むメールに変換されて配信される。
【発明の効果】
【００２５】
本発明によれば、ユーザが表題に、例えば、絵文字等のキーワードを入力する簡単な操作のみでリッチコンテンツをメールとして送信することができる。これによって、リッチコンテンツの作成にかかるユーザの負担を大幅に軽減することができる。また、入力手段に制限がある携帯電話端末であっても、容易にリッチコンテンツをメールとして送信することが可能になる。
【発明を実施するための最良の形態】
【００２６】
以下、本発明の実施の形態について図面を参照して説明する。
［メール配信システムの構成］
最初に、図１を参照して、本発明に係るメール配信システムの構成について説明を行う。図１は、本発明に係るメール配信システムのシステム構成の一例を示すブロック図である。
ここでは、メール配信システムＳは、メール作成装置１と、メール変換サーバ２と、Ｗｅｂ（ウェブ）サーバ３と、メール受信サーバ４と、メール受信装置５とを、ＩＰ（Ｉｎｔｅｒｎｅｔ  Ｐｒｏｔｏｃｏｌ）ネットワーク６を介して接続して構成している。
【００２７】
メール作成装置（メール送信装置）１は、メールを作成し、送信する機能を有する端末装置であって、例えば、ＰＣ、携帯電話、ＰＨＳ（Ｐｅｒｓｏｎａｌ  Ｈａｎｄｙｐｈｏｎｅ  Ｓｙｓｔｅｍ）等である。
【００２８】
メール変換サーバ（メール変換装置）２は、メール作成装置１によって送信されるメールを受信して、メール本文を装飾化したメールに変換し、メール受信側のメール受信サーバ４を介してメール受信装置５に配信するものである。
ここでは、メール変換サーバ２は、受信したメールの本文とは別に記述されているメールの表題を解析し、表題に含まれる文字等に予め対応付けて記憶されているリッチコンテンツのテンプレートを検索し、当該検索されたテンプレートと、メール本文とを組み合わせて変換されたリッチコンテンツをリッチコンテンツメールとして生成する。
更に、メール変換サーバ２は、リッチコンテンツを参照するためのアドレス（例えば、ＵＲＬ〔Ｕｎｉｆｏｒｍ  Ｒｅｓｏｕｒｃｅ  Ｌｏｃａｔｏｒ〕）をテキストデータであるメールに付加したテキストメールを生成する。そして、リッチコンテンツメールとＵＲＬが付加されたテキストメールとを１つのメール（変換メール）として、メール受信装置５に配信する。
なお、メール変換サーバ２の詳細な構成は後記する。
【００２９】
Ｗｅｂサーバ３は、ＨＴＭＬ文書や画像等の情報を蓄積し、Ｗｅｂブラウザ等、携帯端末にインストールされているクライアントソフトウェアの要求に応じてＩＰネットワーク６を通じ、ＨＴＭＬ文書や画像等の情報を送信するものである。
ここでは、Ｗｅｂサーバ３は、メール受信装置５から送信される、メールに付加されているＵＲＬおよびその他のリクエスト情報に基づいて、メール変換サーバ２からリッチコンテンツを取得し、メール受信装置５に適したＷｅｂページを生成する。
【００３０】
メール受信サーバ４は、ＩＰネットワーク６上に接続され、自ネットワーク内のユーザの電子メール（Ｅメール）の送信や受信を行うものである。なお、ここでは、メール受信サーバ４を、メール受信側のメールサーバとしている。
【００３１】
メール受信装置５は、メールを受信し、提示する機能を有する端末装置であって、メール作成装置１と同様、ＰＣ、携帯電話、ＰＨＳ等である。
ここでは、メール受信装置５は、変換メール内のリッチコンテンツメールが表示可能であれば、そのリッチコンテンツメールを表示し、表示できない場合は、ＵＲＬを付加したテキストメールを表示する。
そして、メール受信装置５は、ユーザによって、ＵＲＬをアクセスされた場合に、Ｗｅｂサーバ３からＷｅｂページを取得し表示する。
なお、ここでは、説明上、メール作成装置１とメール受信装置５とを、メールの送信側と受信側とで区別して表現しているが、それぞれ、メールの作成、送信、受信および提示の各機能を有する端末装置であることが一般的である。
【００３２】
（メール変換サーバ〔メール変換装置〕の構成）
次に、図２を参照（適宜図１参照）して、メール変換サーバ（メール変換装置）の構成について説明する。図２は、メール変換サーバ（メール変換装置）の内部構成を機能展開して示したブロック図である。
【００３３】
メール変換サーバ２は、機能的に、メール受信手段２１と、メール本文取得手段２２と、テンプレート検索手段２３と、記憶手段２４と、変換メール生成手段２５と、メール送信手段２６と、表示データ送信手段２７と、添付ファイル情報取得手段２８と、に区分される。
【００３４】
メール受信手段２１は、ＩＰネットワーク６を介して、メール作成装置１から送信されるメール（メールヘッダおよびメール本文）を受信するものである。このメール受信手段２１は、受信したメールをメール本文取得手段２２およびテンプレート検索手段２３に出力する。
【００３５】
メール本文取得手段２２は、メール受信手段２１で受信したメールのメール本文を抽出するものである。このメール本文取得手段２２は、抽出したメール本文を変換メール生成手段２５へ出力する。
【００３６】
テンプレート検索手段２３は、メールの表題を解析し、記憶手段２４に記憶されている表題に含まれる予め定めた文字に対応したテンプレートを検索するものである。ここでは、テンプレート検索手段２３は、メールヘッダ解析手段２３１と、テンプレートリスト検索手段２３２とを備えている。
【００３７】
メールヘッダ解析手段２３１は、メール受信手段２１で受信したメールのメールヘッダに含まれる表題を解析するものである。ここでは、メールヘッダ解析手段２３１は、予め定められた文字、例えば、絵文字を表題中で検出したときに後記するテンプレートリスト検索手段２３２を起動する。
【００３８】
テンプレートリスト検索手段２３２は、記憶手段２４において、メールヘッダ解析手段２３１により解析された絵文字をキーワードとして、当該キーワードに対応付けられているリッチコンテンツのテンプレートを検索するものである。このテンプレートリスト検索手段２３２は、検索結果であるリッチコンテンツのテンプレートを変換メール生成手段２５へ出力する。
【００３９】
記憶手段２４は、ハードディスク等の一般的な記憶手段である。この記憶手段２４には、予め絵文字に対応して、ＨＴＭＬ、Ｆｌａｓｈ（登録商標）、ＧＩＦ等により作成されたリッチコンテンツのテンプレートが記憶されている。なお、ここで、「Ｆｌａｓｈ」とは、マクロメディア社が開発した音声やベクターグラフィックスのアニメーションを組み合わせてＷｅｂコンテンツを作成するソフトウェアによって作成されたコンテンツをいう。このコンテンツを閲覧するには、Ｗｅｂブラウザに専用のプラグイン「Ｆｌａｓｈ  Ｐｌａｙｅｒ」をインストールしておく必要がある。
また、これらのテンプレートは、メール本文を組み込むための領域を有している。この領域にメール本文が組み合わされて、メール本文を装飾化したリッチコンテンツが生成されることになる。すなわち、これらのテンプレートは、メール本文に対して付加する装飾化データとなる。
【００４０】
なお、記憶手段２４には、リッチコンテンツをキーワード（絵文字等）とともに、予め定めた時間に対応付けておくこととしてもよい。例えば、同じ絵文字に対して、午前、午後等の時間帯によって異なるリッチコンテンツを対応付けることとする。あるいは、同じ絵文字に対して、季節（春、夏、秋、冬）や、その季節ごとのイベント（例えば、お正月、クリスマス等）の種々の時間、日、月等によって異なるリッチコンテンツを対応付けることとしてもよい。あるいは、リッチコンテンツの参照回数によって、異なるリッチコンテンツに対応付けることとしてもよい。
【００４１】
変換メール生成手段２５は、メール本文取得手段２２で取得したメール本文、あるいは添付ファイル情報取得手段２８で取得した添付ファイルの少なくとも一つと、テンプレート検索手段２３で検索されたテンプレートとを組み合わせることにより変換したメール（変換メール）を生成するものである。ここでは、変換メール生成手段２５は、リッチコンテンツメール生成手段２５１と、ＵＲＬ付きテキストメール生成手段２５２とを備えている。
【００４２】
リッチコンテンツメール生成手段２５１は、メール本文取得手段２２、あるいは添付ファイル情報取得手段２８から出力される、メール本文、あるいは添付ファイル情報と、テンプレートリスト検索手段２３２で検索されたリッチコンテンツのテンプレートとを合成することで、メール本文の内容を含んだリッチコンテンツメールを生成するものである。例えば、リッチコンテンツメール生成手段２５１は、リッチコンテンツメールとしてＨＴＭＬで記述したメール（ＨＴＭＬメール）を生成する。
【００４３】
ＵＲＬ付きテキストメール生成手段（テキストメール生成手段）２５２は、リッチコンテンツメール生成手段２５１で生成されたリッチコンテンツメールの内容を参照するためのアドレスをテキストデータであるメール本文に付加することで、リッチコンテンツメール参照用のメールを生成するものである。ここでは、ＵＲＬ付きテキストメール生成手段２５２は、リッチコンテンツの内容の参照先を示すＵＲＬを付加したＵＲＬ付きテキストメール（テキストメール）を生成する。
【００４４】
なお、変換メール生成手段２５は、リッチコンテンツメール生成手段２５１により生成されたリッチコンテンツメール（ＨＴＭＬメール）と、ＵＲＬ付きテキストメール生成手段２５２により生成されたＵＲＬ付きテキストメールとを各パーツとした１通のメール（変換メール）を生成する。
この変換メール生成手段２５で生成された変換メールは、メール送信手段２６へ出力される。
【００４５】
メール送信手段２６は、変換メール生成手段２５により生成された変換メールを、メール受信サーバ４を介して、メールの配信先であるメール受信装置５に配信するものである。
【００４６】
表示データ送信手段２７は、Ｗｅｂサーバ３からの要求に基づいて、メール受信装置５の表示データとなるリッチコンテンツメールを記憶手段２４から読み出して送信するものである。
【００４７】
また、添付ファイル情報取得手段２８は、メール受信手段２１で受信したメールに、写真等のファイルが添付されていた場合にこれを抽出するものである。この添付ファイル情報取得手段２８は、抽出した写真等のファイルを変換メール生成手段２５へ出力する。
【００４８】
このように、１通のメール内にＨＴＭＬで記述されたパーツとテキストで記述されたパーツとを共存させることで、メール受信装置５のメーラや設定あるいはメール受信サーバ４の設定に依存せず、最適な形式でユーザにメールを閲覧させることができる。
【００４９】
［メール配信システムの動作］
次に、メール配信システムＳの動作について説明する。図３、図４は、本発明の実施の形態に係るメール配信システムの動作を説明するために引用したフローチャートであり、図３（ａ）は、メール配信システムを構成するメール作成装置、図３（ｂ）はメール受信装置、図４はメール変換サーバのそれぞれの動作を示している。
以下、図３および図４のフローチャートを参照しながら、図１および図２に示す実施の形態の動作について詳細に説明する。
【００５０】
図３（ａ）において、メール作成装置１は、ユーザの編集操作（キー入力）により、Ｅメール（電子メール）の本文（テキストデータ）、添付ファイルがあればファイル添付してメールを生成する（ステップＳ３０１）。
そして、メール作成装置１は、ユーザの編集操作（キー入力）により、表題、送信先等のメールヘッダを生成する（ステップＳ３０２）。このとき、ユーザは、表題に、予め定めた文字（絵文字等のキーワード）を入力することで、リッチコンテンツを特定する。
そして、メール作成装置１は、生成されたメール（メールヘッダおよびメール本文、添付ファイルがあれば更にその添付ファイル情報）をメール変換サーバ２へ送信する（ステップＳ３０３）。
なお、ステップＳ３０１とＳ３０２とは、どちらを先に行ってもよい。
【００５１】
一方、図４において、メール変換サーバ２は、メール受信手段２１によって、メール作成装置１から送信されたＥメールを受信し（ステップＳ４０１）、メール本文取得手段２２によって、Ｅメールからメール本文を取得（抽出）し（Ｓ４０２）、ファイル添付されていれば（Ｓ４０３“Ｙｅｓ”）、添付ファイル情報取得手段２８により添付ファイル情報を取得（抽出）する（ステップＳ４０４）。
そして、メール変換サーバ２は、テンプレート検索手段２３のメールヘッダ解析手段２３１によって、ヘッダに含まれる表題を解析する（ステップＳ４０５）。ここで、メールヘッダ解析手段２３１が、表題に予め定めたキーワード（絵文字）が含まれているか否かを判定する（ステップＳ４０６）。
【００５２】
そして、キーワードが含まれている場合（Ｓ４０６“Ｙｅｓ”）、テンプレートリスト検索手段２３２によって、記憶手段２４において、キーワードに基づいてテンプレートを検索する（ステップＳ４０７）。
その後、メール変換サーバ２は、受信したメールに添付ファイルが無ければ（Ｓ４０８“Ｎｏ”）、変換メール生成手段２５のリッチコンテンツメール生成手段２５１によって、メール本文取得手段２２で取得したメール本文と、テンプレートリスト検索手段２３２で検索されたリッチコンテンツのテンプレートとを合成し（Ｓ４０９）、受信したメールに添付ファイルがあれば（Ｓ４０８“Ｎｏ”）、更に添付ファイル情報取得手段２８で取得した添付ファイル情報とを合成することで、リッチコンテンツメール（ＨＴＭＬメール）を生成する（ステップＳ４１０）。
【００５３】
更に、メール変換サーバ２は、ＵＲＬ付きテキストメール生成手段２５２によって、ステップＳ４０９、Ｓ４１０で生成されたリッチコンテンツメールの内容を参照するためのアドレス（ＵＲＬ）をメール本文に付加することで、リッチコンテンツメール参照用のＵＲＬ付きテキストメールを生成する（ステップＳ４１１）。
そして、メール変換サーバ２は、変換メール生成手段２５において、リッチコンテンツメールとＵＲＬ付きテキストメールとを各パーツとした１通のメール（変換メール）を生成する（ステップＳ４１２）。
そして、メール変換サーバ２は、メール送信手段２６によって、変換メールをメール受信サーバ４へ送信する（ステップＳ４１３）。
【００５４】
このように、メール変換サーバ２は、リッチコンテンツメールとＵＲＬ付きテキストメールとを１通のメールとしたマルチパート配信を行うことで、メール受信装置５およびメール受信サーバ４において表示環境に合ったメールの表示が可能になる。
【００５５】
一方、表題に予め定めたキーワードが含まれていない場合（Ｓ４０６“Ｎｏ”）、変換メール生成手段２５は、メールにメールヘッダを付加したテキストメールを生成し（ステップＳ４１４）、メール受信サーバ４へ送信する（ステップＳ４１５）。
【００５６】
その後、図３（ｂ）において、メール受信装置５は、メール受信サーバ４からＥメールを受信する（Ｓ３１１）。なお、ステップＳ３１１において、ＰＣのメールソフトの設定により、あるいはメール受信サーバ４の設定により、リッチコンテンツメールまたはＵＲＬ付きテキストメールのいずれか一方をメール受信装置５が受信する。ここでは、以降の動作において、ＵＲＬ付きテキストメールを受信した場合の動作について説明する。
【００５７】
メール受信装置５は、受信したＵＲＬ付きテキストメールを表示モニタ上に表示する（ステップＳ３１２）。
ここで、メール受信装置５は、ユーザによって、ＵＲＬを選択された場合（ステップＳ３１３“Ｙｅｓ”）、Ｗｅｂページの表示要求を送信する（ステップＳ３１４）。
そして、メール受信装置５は、Ｗｅｂサーバ３において、当該メール受信装置５の画面サイズ等に適したデータとして生成されたＷｅｂページのデータを取得し（ステップＳ３１５）、表示モニタ上に表示する（ステップＳ３１６）。
【００５８】
なお、前記したメール配信システムＳにおけるメール変換サーバ２は、メールに添付ファイル情報が含まれている場合、その添付ファイル情報とリッチコンテンツのテンプレートとを合成し、添付ファイル情報を含んだリッチコンテンツメールを生成する構成としたが、メールの表題に含まれる文字で指定したテンプレートが添付ファイルを必要とする場合に、その添付ファイル情報とリッチコンテンツのテンプレートとを合成し、添付ファイル情報を含んだリッチコンテンツメールを生成する構成にしてもよい。
図５にそのためのメール変換サーバ２の動作がフローチャートで示されている。ここでは、メール配信システムＳを構成するメール作成装置１、およびメール受信装置５の動作は、図３（ａ）図３（ｂ）に示すフローチャートと同様であるため、重複を回避する意味で説明を省略する。
【００５９】
図５において、メール変換サーバ２は、メール受信手段２１によって、メール作成装置１から送信されたＥメールを受信し（ステップＳ５０１）、テンプレート検索手段２３のメールヘッダ解析手段２３１によって、ヘッダに含まれる表題を解析する（ステップＳ５０２）。ここで、メールヘッダ解析手段２３１が、表題に予め定めたキーワード（絵文字）が含まれているか否かを判定する（ステップＳ５０３）。
ここで、キーワードが含まれている場合（Ｓ５０３“Ｙｅｓ”）、テンプレートリスト検索手段２３２によって、記憶手段２４において、キーワードに基づいてテンプレートを検索する（ステップＳ５０４）。
【００６０】
そして、メール変換サーバ２は、検索したテンプレートが添付ファイルを必要とするか否かを判定し（ステップＳ５０５）、必要とする場合（ステップＳ５０５“Ｙｅｓ”）、添付ファイル情報取得手段２８により添付ファイル情報を取得（抽出）する（ステップＳ５０６）。テンプレートが添付ファイルを必要とするか否かについては、記憶手段２４に記憶されるテンプレート毎にメモリマップ（フラグ）を割り当て、テンプレート検索手段２３２がフラグのＯＮ／ＯＦＦ設定を参照することにより判定可能である。
【００６１】
添付ファイル情報を取得した後（ステップＳ５０６）、あるいは添付ファイルを必要としない場合は（Ｓ５０５“Ｎｏ”）、メール本文取得手段２２によって、Ｅメールからメール本文を取得（抽出）し（Ｓ５０７）、変換メール生成手段２５のリッチコンテンツメール生成手段２５１が、メール本文取得手段２２で取得したメール本文と、テンプレートリスト検索手段２３２で検索されたリッチコンテンツのテンプレートと、添付ファイル情報取得手段２８で取得した添付ファイル情報とを合成することで、リッチコンテンツメール（ＨＴＭＬメール）を生成する（ステップＳ５０８）。
【００６２】
更に、メール変換サーバ２は、ＵＲＬ付きテキストメール生成手段２５２によって、ステップＳ５０８で生成されたリッチコンテンツメールの内容を参照するためのアドレス（ＵＲＬ）をメール本文に付加することで、リッチコンテンツメール参照用のＵＲＬ付きテキストメールを生成する（ステップＳ５０９）。
そして、メール変換サーバ２は、変換メール生成手段２５において、リッチコンテンツメールとＵＲＬ付きテキストメールとを各パーツとした１通のメール（変換メール）を生成する（ステップＳ５１０）。
そして、メール変換サーバ２は、メール送信手段２６によって、変換メールをメール受信サーバ４へ送信する（ステップＳ５１１）。
【００６３】
このように、メール変換サーバ２は、リッチコンテンツメールとＵＲＬ付きテキストメールとを１通のメールとしたマルチパート配信を行うことで、メール受信装置５およびメール受信サーバ４において表示環境に合ったメールの表示が可能になる。
【００６４】
一方、表題に予め定めたキーワードが含まれていない場合（Ｓ５０３“Ｎｏ”）、変換メール生成手段２５は、メールにメールヘッダを付加したテキストメールを生成し、メール受信サーバ４へ送信する（ステップＳ５１２）。
【００６５】
（リッチコンテンツの例１）
次に、図６〜図８を参照して、メール受信装置５に表示されるリッチコンテンツの例について説明する。図６〜図８は、リッチコンテンツを含むＥメールの一例を示している。
図５は、表題に「犬」の絵文字を付加し、メール本文に、「吉田がプロレスゲームをやろう！と燃えています。」といったテキスト文字を入力した場合に、メール変換サーバ２により生成される変換メールである。
この図６では、（ａ）〜（ｄ）において、メール本文の内容５１を、画面の吹き出し部５２の内部に、順次表示している例を示している。
【００６６】
また、図７は、表題に「雪だるま」の絵文字を付加し、メール本文に、「あけましておめでとう」といったテキストを入力した場合に、メール変換サーバ２により生成される変換メールである。
この図７では、（ａ）〜（ｄ）において、雪が降っている動きのある画像６１に、メール本文の文字６２が回転しながら順次表示される例を示している。
【００６７】
更に、図８は、表題に「ハート」の絵文字を付加し、メール本文に、「おつかれさま。今日は焼肉の日であります。早く帰りなさい」といったテキスト文字を入力した場合に、メール変換サーバ２により生成される変換メールである。
この図８では、（ａ）〜（ｄ）において、ハートのマークが散りばめられた画像７１に、メール本文全体７２が回転しながら表示される例を示している。
このように、メール受信装置５の表示モニタ上に、テキスト文字（メール）や画像に動きを伴って、メールを表示させることができる。なお、ここでは、視覚的な変化しか表していないが、リッチコンテンツとして音声等を再生させることも可能である。
【００６８】
（リッチコンテンツの例２）
次に、図９〜図１４を参照して、メール受信装置５に表示されるリッチコンテンツの例について説明する。図９〜図１４は、写真等のファイル添付されたリッチコンテンツを含むＥメールの一例を示している。
図９は、写真の絵文字とひよこの絵文字を本来使用したい表題に付加するとともに犬の写真をメール添付し、メール本文に、「ウチの子犬……ピースケ！」といったテキストを入力した場合に、メール変換サーバ２により生成される変換メールである。
【００６９】
この図９では、（ａ）〜（ｄ）に、テンプレートを検索することにより抽出されるたまご８１が上から落ちてきて（ａ）、ひび８２が入り（ｂ）、たまご８１がひび割れ、ひよこ８３と写真８４が登場する写真合成パターンが示されている（ｃ）。次に、写真８４が拡大されてＥメール本文のメッセージ８５が表示され、当該メッセージはカーソルキー操作でスクロールさせることにより見ることができる。
【００７０】
図１０は、写真の絵文字とスロットマシンの絵文字を本来使用したい表題に付加するとともに犬の写真をメール添付した場合に、メール変換サーバ２により生成される変換メールである。
この図では、（ａ）〜（ｄ）に、あらかじめ登録済みの写真とメールに添付した写真９１ａ〜９１ｉがスロットのように矢印方向に回転し（ａ）、停止したところで横一列に犬の写真（９１ｄ、９１ｅ、９１ｆ）が並ぶ写真合成パターン表示例である（ｂ）。そして、横一列に並んだ写真（９１ｄ、９１ｅ、９１ｆ）のうちの一つ９１ｅが選択されることにより、拡大表示され、メッセージ９２が表示される（ｃ）。メッセージ下にクリックボタンを割当てることで再度写真を回転表示させることもできる。
【００７１】
図１１は、写真の絵文字と天道虫の絵文字を本来使用したい表題に付加するとともに人物写真をメール添付し、メール本文に、「こんにちは、……また会いましょう」といったテキストを入力した場合に、メール変換サーバ２により生成される変換メールである。
この図では、（ａ）〜（ｄ）に、塗り潰された画面１００が起動され（ａ）、天道虫の軌跡１０１に沿って写真１０２が出現し（ｂ）、写真１０２が全て出現した後、同じく天道虫の軌跡に沿って本文の画面１０３が出現する写真合成パターンが示されている（ｃ）。複数の写真がファイル添付された場合、本文画面１０３の上を歩く天道虫の軌跡１０１に沿って次の写真１０２’が出現し、最後は、全ての写真が表示されてから表示される全文画面１０４でループする（ｄ）。
【００７２】
図１２は、写真の絵文字とビールの絵文字を本来使用したい表題に付加するとともに結婚式で撮影された写真をメール添付し、メール本文に、「こんにちは、……ありがとうございました」といったテキストを入力した場合に、メール変換サーバ２により生成される変換メールである。
この図では、（ａ）〜（ｄ）に、Ｅメールにファイル添付された写真１１１が表示され（ａ）、当該写真１１１に「メッセージを読む」ボタン１１２を合成表示し、当該ボタン１１２をクリックするとメール本文１１３とともに、下から泡（不図示）が出てくる演出を付加した写真合成パターンが示されている（ｂ）。なお、メッセージ（メール本文１１３）が表示されているときは「メッセージを読む」ボタン１１２は消えている。そして、画面全体に「写真を見る」ボタン１１４が合成されたメセージ（本文）を表示する（ｃ）。この「写真を見る」ボタン１１４をクリックすると、本文が下方向にスクロールして消え、先の写真１１１が出現する。なお、本文がスクロール表示されていときは「写真を見る」ボタン１１４は消えている。
【００７３】
図１３は、写真の絵文字とハートの絵文字を本来使用したい表題に付加するとともに複数枚の犬の写真をメール添付した場合に、メール変換サーバ２により生成される変換メールである。
この図では、（ａ）〜（ｄ）に、表示されているテンプレート（ハート１２１）と写真１２２の合成パターンが順次拡大され、メッセージ（本文１２３）はカーソルキーによりスクロール表示されるパターンが示されている（ａ）。写真１２２は、拡大表示された後、テンプレートのハート１２１はゆらゆらと揺れ（ｂ）、あるタイミングでハート１２１が回転して停止する（ｃ）。所定時間表示を継続するとハート１２１の中に別の添付した写真１２４が表示される（ｄ）。
【００７４】
図１４は、写真の絵文字とテレビの絵文字を本来使用したい表題に付加するとともに写真をメール添付した場合に、メール変換サーバ２により生成される変換メールである。
この図では、（ａ）〜（ｄ）に、テレビ風のフレームに写真が合成表示されるパターンが示されている。まず、テレビ風フレームの画面１３１が開き、テレビ画面中のろの砂嵐パターン１３２から少しずつ写真１３３が出現し、写真１３３が逐次切り替わり、写真に効果をつけて別の写真を表示させる。画面下部にメッセージ表示領域１３４があって、メール本文１３５が半分ずつ表示され、カーソルキーにより切り替え表示される。
【００７５】
なお、図９から図１４に示した写真合成の動作パターンは、リッチコンテンツとして、フラッシュ（登録商標）を用いたものであり、効果の度合いや装飾の程度は、フラッシュの容量に依存する。
【００７６】
以上、メール配信システムの構成および動作について説明したが、本発明はこの構成や動作に限定されるものではない。
【００７７】
以上説明したように本発明によれば、リッチコンテンツの作成および配信を簡単な操作で実現することができる。例えば、比較的キーの操作性に欠けている携帯電話に本発明を適用することで、絵文字入力等の簡単な操作でリッチコンテンツをメールとして配信することができる。これによって、ユーザに対して、リッチコンテンツのメールを作成するための、簡単な操作環境を提供することができる。
また、本発明によれば、マルチパート配信により、リッチコンテンツ受信環境を持たないユーザにはテキストメールが閲覧できる状態で配信されるため、使い勝手のよい、メール変換装置およびシステムを構築できる。
【００７８】
なお、前記した実施形態によれば、表題に絵文字を付加することにより、絵文字に対応するリッチコンテンツのテンプレートを検索する構成としたが、このことに制限されず、絵文字以外のキーワード、例えば、数字列等であってもよい。また、絵文字等のキーワードは１文字に限定されるものではなく、複数の文字列に、テンプレートを対応付けることとしてもよい。また、メール本文は勿論のこと、添付ファイルについてもテンプレートとの合成表示を可能としたリッチコンテンツを作成することができるため、写真等の静止画像をあたかも動画のように表現することができる。
【００７９】
また、前記した実施形態によれば、変換メール生成手段２５は、リッチコンテンツメールとテキストメールとをマルチパート配信用のメールとして生成するものとし（例えば、ＨＴＭＬ等のリッチコンテンツメールとテキストメールとを同時に配信する）、受信側でリッチコンテンツメールを受信できない環境にあってはテキストメールを閲覧できる状態で配信されるとして説明した。しかし、変換メール生成手段２５は、マルチパート配信によらず、テキストメールのみの配信、あるいはＨＴＭＬ等のリッチコンテンツメールのみでの配信も可能であり、このため、受信側のメールの提示環境、設定等に応じて最適な形式でメールを閲覧させることができる。
【００８０】
つまり、変換メール生成手段２５は、メールに添付ファイル情報が含まれている場合、添付ファイル情報と、リッチコンテンツのテンプレートとを合成して添付ファイル情報を含むリッチコンテンツメールを生成する。これによって、マルチパート配信に依存することなく、テキストメールのみの配信、あるいはリッチコンテンツメールのみの配信が可能になる。
【００８１】
また、変換メール生成手段２５は、検索したテンプレートが添付ファイルを必要とする場合、メールに添付された添付ファイル情報と、リッチコンテンツのテンプレートとを合成して添付ファイル情報を含むリッチコンテンツメールを生成する。これによって、マルチパート配信に依存することなく、テキストメールのみの配信、あるいはリッチコンテンツメールのみの配信が可能になる。
【００８２】
なお、図２に示すメール変換サーバ２は、ＣＰＵ（Central Processing Unit）、ＲＡＭ（Random Access Memory）等を備えた一般的なコンピュータによって実現され、コンピュータを前記した各手段として機能させるメール変換プログラムにより動作させることができる。
【図面の簡単な説明】
【００８３】
【図１】本発明の実施の形態に係るメール配信システムのシステム構成の一例を示すブロック図である。
【図２】図１のメール変換サーバ（メール変換装置）の内部構成を機能展開して示したブロック図である。
【図３】本発明の実施の形態に係るメール配信システムの動作を示すフローチャートであって、（ａ）はメール作成装置、（ｂ）はメール受信装置の動作を示している。
【図４】本発明の実施の形態に係るメール配信システムのメール変換サーバの動作の一例を示すフローチャートである。
【図５】本発明の実施の形態に係るメール配信システムのメール変換サーバの他の動作の一例を示すフローチャートである。
【図６】本発明の実施の形態に係るメール変換装置により生成されるリッチコンテンツの一例を示す図である。
【図７】本発明の実施の形態に係るメール変換装置により生成されるリッチコンテンツの一例を示す図である。
【図８】本発明の実施の形態に係るメール変換装置により生成されるリッチコンテンツの一例を示す図である。
【図９】本発明の実施の形態に係るメール変換装置により生成されるリッチコンテンツの一例を示す図である。
【図１０】本発明の実施の形態に係るメール変換装置により生成されるリッチコンテンツの一例を示す図である。
【図１１】本発明の実施の形態に係るメール変換装置により生成されるリッチコンテンツの一例を示す図である。
【図１２】本発明の実施の形態に係るメール変換装置により生成されるリッチコンテンツの一例を示す図である。
【図１３】本発明の実施の形態に係るメール変換装置により生成されるリッチコンテンツの一例を示す図である。
【図１４】本発明の実施の形態に係るメール変換装置により生成されるリッチコンテンツの一例を示す図である。
【符号の説明】
【００８４】
Ｓ      メール配信システム
１      メール作成装置（メール送信装置）
２      メール変換サーバ（メール変換装置）
２１    メール受信手段
２２    メール本文取得手段
２３    テンプレート検索手段
２８    添付ファイル情報取得手段
２３１  メールヘッダ解析手段
２３２  テンプレートリスト検索手段
２４    記憶手段
２５    変換メール生成手段
２５１  リッチコンテンツメール生成手段
２５２  ＵＲＬ付きテキストメール生成手段（テキストメール生成手段）
２６    メール送信手段
２７    表示データ送信手段
３      Ｗｅｂサーバ
４      メール受信サーバ
５      メール受信装置
【図１】
2008041081.tif 000003
【図２】
2008041081.tif 000004
【図３】
2008041081.tif 000005
【図４】
2008041081.tif 000006
【図５】
2008041081.tif 000007
【図６】
2008041081.tif 000008
【図７】
2008041081.tif 000009
【図８】
2008041081.tif 000010
【図９】
2008041081.tif 000011
【図１０】
2008041081.tif 000012
【図１１】
2008041081.tif 000013
【図１２】
2008041081.tif 000014
【図１３】
2008041081.tif 000015
【図１４】
2008041081.tif 000016